(57)【特許請求の範囲】
【請求項１】
ドアホン子機（ＳＱ1）から呼出されたとき呼出検出回路（５）で呼出検出し、呼出音発生回路（６）で発生された呼出音を拡声スピーカ（ＳＰ1）から鳴動させ、ライン（Ｌ5、Ｌ6）を外線（Ｌ1、Ｌ2）から前記ドアホン子機側に切替えて電話機（ＴＥＬ1）に通話用電源回路（２）を介して直流電源を供給し、前記電話機がオフフックしたとき通話路スイッチ（３）をオンさせ、前記ドアホン子機を前記呼出検出回路から通話回路（４）に切替えて前記通話路スイッチを経由して前記電話機へ接続する電話・インターホン装置であって、
前記ラインを２線で構成して前記外線、前記ドアホン子機および前記電話機、前記拡声スピーカ間を前記２線で接続し、前記呼出検出回路で呼出検出されたとき前記２線を前記外線から切り離し、前記呼出音発生回路で発生された呼出音を前記２線に送出する切替手段（９）と、前記切替手段によって前記外線から切り離された前記２線に現れる直流電圧が所定レベル以下になったとき前記２線を前記拡声スピーカに接続するノーマルクローズスイッチイング素子（Ｑ8）とを備えたことを特徴とする電話・インターホン装置。
【発明の詳細な説明】
【発明の属する技術分野】
この発明は電話・インターホン装置に関し、特に、ドアホン子機と拡声スピーカとの間を無極化された２線で接続し、従来、別に設けられていたドアホン子機からの呼出スピーカ用ラインを削除し、ドアホン子機からの呼出と通話を２線だけでおこなえる電話・インターホン装置に係わる。
【従来の技術】
従来から、図２に示すように呼出釦５１を設けたドアホン子機ＳＱ2、外線Ｌ11とＬ12を介して局用交換機と接続された親機ＭＱ2、モジュラープラグＭＰ2が接続され、送受器８０が実装された電話機ＴＥＬ2、モジュラージヤックＭＪ2及び呼出用スピーカＳＰ2からなる電話・インターホン装置が知られている。
ドアホン子機ＳＱ2は２線Ｌ13、Ｌ14を介して親機ＭＱ2の端子Ｔ13及び端子Ｔ14と接続され、端子Ｔ15及び端子Ｔ16は２線Ｌ15、Ｌ16を介してモジュラージャックＭＪ2と接続されている。また、モジュラージャックＭＪ2はモジュラープラグＭＰ2を介して電話機ＴＥＬ2と接続されている。
親機ＭＱ2の端子Ｔ17及び端子Ｔ18はラインＬ17（本線）、Ｌ18（基準電位点線）を介して呼出用スピーカＳＰ2と接続されている。
親機ＭＱ2は、通話用電源回路５２、アナログスイッチ５３、通話回路５４、呼出検出回路５５、呼出音発生回路５６、アンプ５７、外線／ドアホン子機切換継電器５８、呼出／通話切換継電器５９、電源６０、ホトカプラーＰＣ11及び親機ＣＰＵ７０を有し、親機ＭＱ2の端子Ｔ11は外線／ドアホン子機切換継電器５８の切換接点５８ａの常閉側及びホトカプラーＰＣ11の発光側を介して端子Ｔ15と、端子Ｔ12は外線／ドアホン子機切換継電器５８の切換接点５８ｂの常閉側を介して端子Ｔ16とそれぞれ接続されている。
外線／ドアホン子機切換継電器５８の切換接点５８ａの常開側はアナログスイッチ５３の一方及び他方を介して通話回路５４の一方と接続され、通話回路５４の他方は呼出／通話切換継電器５９の切換接点５９ａの常開側と接続されている。
呼出／通話切換継電器５９の切換接点５９ａの常閉側は呼出検出回路５５を介して親機ＣＰＵ７０のピンＰ11と接続されている。
通話用電源回路５２はトランジスタＱ11とＱ12を有し、電源＋Ｖｃは抵抗Ｒ11を介してトランジスタＱ11のベースとトランジスタＱ12のエミッタにそれぞれ接続され、トランジスタＱ12のコレクタはアナログスイッチ５３の一方と接続されている。
トランジスタＱ12のベースは抵抗Ｒ12の一方及びトランジスタＱ11のコレクタとそれぞれ接続され、トランジスタＱ11のエミッタは電源＋Ｖｃと接続されている。
親機ＣＰＵ７０には電源＋ＶDが接続され、親機ＣＰＵ７０のピンＰ13はアナログスイッチ５３の制御入力側と接続されている。
親機ＣＰＵ７０のピンＰ15はホトカプラーＰＣ11の受光側に設けられた受光用トランジスタＱ15のコレクタと接続され、エミッタは基準電位点と接続されている。
またコレクタは抵抗Ｒ13の一端と接続され、抵抗Ｒ13の他端は電源＋Ｖｃと接続されている。
外線／ドアホン子機切換継電器５８の一端は電源＋Ｖｃと接続され、他端はトランジスタＱ13のコレクタ、エミッタを介して基準電位点と接続されている。トランジスタＱ13のベースは一端が親機ＣＰＵ７０のピンＰ12と接続された抵抗Ｒ14の他端と接続され、抵抗Ｒ14の他端は抵抗Ｒ15を介して基準電位点と接続されている。
呼出／通話切換継電器５９の一端は電源＋Ｖｃと接続され、他端はトランジスタＱ14のコレクタ、エミッタを介して基準電位点と接続されている。トランジスタＱ14のベースは一端が親機ＣＰＵ７０のピンＰ14と接続された抵抗Ｒ16の他端と接続され、抵抗Ｒ16の他端は抵抗Ｒ17を介して基準電位点と接続されている。
親機ＣＰＵ７０のピンＰ16は呼出音発生回路５６の入力側と接続され、出力側はアンプ５７及びコンデンサＣ11を介して端子Ｔ17と接続されている。
親機ＭＱ2の基準電位点側となる端子Ｔ14は端子Ｔ18と接続されると共に、通話用電源回路５２の抵抗Ｒ12の他端、外線／ドアホン子機切換継電器５８の切換接点５８ｂの常開側、親機ＣＰＵ７０の基準電位点側、呼出音発生回路５６、アンプ５７の基準電位点側とそれぞれ接続されている。
尚、電源６０は高圧の電源＋Ｖｃと低圧の電源＋ＶDを各回路へ供給する。
このような電話・インターホン装置において、ドアホン子機ＳＱ2の呼出釦５１を押下すると、２線Ｌ13、Ｌ14、親機ＭＱ２の端子Ｔ13、Ｔ14を介して（端子Ｔ13を本線側、端子Ｔ14を基準電位点側とし、以下本線側についてのみ説明する）呼出／通話切換継電器５９の切換接点５９ａの常閉側へ呼出信号が送出される。
この呼出信号により呼出検出回路５５が動作し、ドアホン子機ＳＱ2からの呼出が検出されたことをピンＰ11を介して親機ＣＰＵ７０へ知らせる。
親機ＣＰＵ７０はピンＰ16を介して呼出音発生回路５６を制御し、呼出音発生回路５６、アンプ５７、コンデンサＣ11、端子Ｔ17及びラインＬ17を経由して呼出用スピーカＳＰ2へ呼出音を送出する。
この状態で親機ＣＰＵ７０はピンＰ12を介してトランジスタＱ13を制御し、トランジスタＱ13をオンさせる。トランジスタＱ13がオンされると外線／ドアホン子機切換継電器５８が動作し、切換接点５８ａ、５８ｂ（基準電位点側）のそれぞれの常開側が共に閉成される。
切換接点５８ａの常開側が閉成されると通話用電源回路５２がホトカプラーＰＣ11の発光側及び端子Ｔ15へ接続される。
通話用電源回路５２が端子Ｔ15へ接続されると、Ｌ15（本線）、Ｌ16（基準電位点線）、モジュラージャックＭＪ2、モジュラープラグＭＰ2を経由して電話機ＴＥＬ2に通話用電源が供給される。
電話機ＴＥＬ2の送受器８０をオフフックすると、ホトカプラーＰＣ11に流れる電流が変化し、ホトカプラーＰＣ11の発光側が発光する。ホトカプラーＰＣ11の発光側が発光すると、ホトカプラーＰＣ11の受光側に設けられた受光用トランジスタＱ15がオンとなり、ピンＰ15を介して電話機ＴＥＬ2でオフフックしたことを親機ＣＰＵ７０へ知らせる。
親機ＣＰＵ７０は電話機ＴＥＬ2がオフフックしたことを知ると、ピンＰ13を介してアナログスイッチ５３を動作させ、ピンＰ14を介してトランジスタＱ14をオン制御する。
トランジスタＱ14がオン制御されると呼出／通話切換継電器５９が動作し、呼出／通話切換継電器５９の切換接続５９ａの常開側を閉成する。
呼出／通話切換継電器５９の切換接続５９ａの常開側が閉成されると、端子Ｔ13が通話回路５４の他方と接続され、通話回路５４の一方はオンとなったアナログスイッチ５３の他方及び一方を経由して切換接点５８ａの閉成された常開側と接続される。
これによりドアホン子機ＳＱ2と電話機ＴＥＬ2の間の通話路が形成される。
【発明が解決しようとする課題】
従来の電話・インターホン装置では、ドアホン子機と市販電話機で電話・インターホン装置を構成しようとすると、極性をもったドアホン子機の呼出スピーカ用ラインを設けなければならないという難点があった。
本発明は、このような難点を解消するためになされたもので、ドアホン子機と拡声スピーカとの間を無極化された２線で接続し、ドアホン子機からの呼出と通話を２線だけでおこなえる電話・インターホン装置を提供することを目的とする。
【課題を解決するための手段】
この目的を達成するため、本発明の電話・インターホン装置は、ドアホン子機から呼出されたとき呼出検出回路で呼出検出し、呼出音発生回路で発生された呼出音を拡声スピーカから鳴動させ、ラインを外線からドアホン子機側に切替えて電話機に通話用電源回路を介して直流電源を供給し、電話機がオフフックしたとき通話路スイッチをオンさせ、ドアホン子機を呼出検出回路から通話回路に切替えて通話路スイッチを経由して前記電話機へ接続する電話・インターホン装置であって、ラインを２線で構成して外線、ドアホン子機および電話機、拡声スピーカ間を２線で接続し、呼出検出回路で呼出検出されたとき２線を外線から切り離し、呼出音発生回路で発生された呼出音を２線に送出する切替手段と、切替手段によって外線から切り離された２線に現れる直流電圧が所定レベル以下になったとき２線を拡声スピーカに接続するノーマルクローズスイッチイング素子とを備えている。
このような電話・インターホン装置において、ドアホン子機から呼出されると呼出検出回路が呼出を検出して動作する。
呼出検出回路が動作すると、呼出音発生回路で発生された呼出音が電話機接続アダプタに設けられた拡声スピーカを鳴動させ、同時に外線とラインを切替手段で切離し、ドアホン子機側と電話機をラインで接続する。
このラインには通話用電源回路が接続され、通話用電源回路から電話機に通話用電源が供給される。
電話機でオフフックすると通話路スイッチがオンされ、ドアホン子機を呼出検出回路から通話回路に切替える。
切替手段によって外線から切り離された２線に現れる直流電圧が所定レベル以下になるとノーマルクローズスイッチイング素子がオンとなり２線を拡声スピーカに接続する。
【発明の実施の形態】
以下、本発明の電話・インターホン装置をその実施例について図１にしたがって詳述する。
本発明の電話・インターホン装置は、図１に示すようにドアホン子機ＳＱ1から呼出されたとき呼出検出回路５で呼出検出し、呼出音発生回路６で発生された呼出音を拡声スピーカＳＰ1から鳴動させ、ラインＬ5、Ｌ6を外線Ｌ1、Ｌ2からドアホン子機側に切替えて電話機ＴＥＬ1に通話用電源回路２を介して直流電源を供給し、電話機ＴＥＬ1がオフフックしたとき通話路スイッチ３をオンさせ、ドアホン子機ＳＱ1を呼出検出回路５から通話回路４に切替えて通話路スイッチ３を経由して電話機へ接続する電話・インターホン装置であって、ラインを２線で構成して外線、ドアホン子機および電話機、拡声スピーカ間を２線で接続し、呼出検出回路６で呼出検出されたとき２線を外線から切り離し、呼出音発生回路で発生された呼出音を２線に送出する切替手段９と、切替手段によって外線から切り離された２線に現れる直流電圧が所定レベル以下になったとき２線を拡声スピーカＳＰ1に接続するノーマルクローズスイッチイング素子ＰＣ2とを備えている。
本発明の電話・インターホン装置は、図１に示すように呼出釦１を設けたドアホン子機ＳＱ1、外線Ｌ1とＬ2を介して局用交換機と接続された親機ＭＱ1、モジュラープラグＭＰ1が接続され、送受器３０が実装された電話機ＴＥＬ1、呼出用スピーカＳＰ1及びホトカプラーＰＣ2を有する電話機接続アダプタＢＱ1で構成されている。
ドアホン子機ＳＱ1は２線Ｌ3、Ｌ4を介して親機ＭＱ1の端子Ｔ3及び端子Ｔ4と接続され、端子Ｔ5及び端子Ｔ6は２線Ｌ5、Ｌ6を介して電話機接続アダプタＢＱ1の端子Ｔ7及び端子8と接続され、端子Ｔ7及び端子Ｔ8からモジュラージャックＭＪ1が分岐されている。また、モジュラージャックＭＪ1はモジュラープラグＭＰ1を介して電話機ＴＥＬ1と接続されている。
親機ＭＱ1は、通話用電源回路２、アナログスイッチ３、通話回路４、呼出検出回路５、呼出音発生回路６、アンプ７、外線／ドアホン子機切換継電器８、９、呼出／通話切換継電器１０、電源１１、ホトカプラーＰＣ1及び親機ＣＰＵ２０を有し、親機ＭＱ1の端子Ｔ1は外線／ドアホン子機切換継電器８の切換接点８ａの常閉側、ホトカプラーＰＣ1の発光側及び外線／ドアホン子機切換継電器９の切換接点９ａの常閉側を介して端子Ｔ5と、端子Ｔ2は外線／ドアホン子機切換継電器８の切換接点８ｂの常閉側、外線／ドアホン子機切換継電器９の切換接点９ｂの常閉側を介して端子Ｔ6とそれぞれ接続されている。
外線／ドアホン子機切換継電器８の切換接点８ａの常開側はアナログスイッチ３の一方及び他方を介して通話回路４の一方と接続され、通話回路４の他方は呼出／通話切換継電器１０の切換接点１０ａの常開側と接続されている。
呼出／通話切換継電器１０の切換接点１０ａの常閉側は呼出検出回路５を介して親機ＣＰＵ２０のピンＰ2と接続されている。
通話用電源回路２はトランジスタＱ1とＱ2を有し、電源＋Ｖｃは抵抗Ｒ1を介してトランジスタＱ2のベースとトランジスタＱ1のエミッタにそれぞれ接続され、トランジスタＱ1のコレクタはアナログスイッチ３の一方と接続されている。
トランジスタＱ1のベースは抵抗Ｒ2の一方及びトランジスタＱ2のコレクタとそれぞれ接続され、トランジスタＱ2のエミッタは電源＋Ｖｃと接続されている。
親機ＣＰＵ２０には電源＋ＶDが接続され、親機ＣＰＵ２０のピンＰ1はアナログスイッチ３の制御入力側と接続されている。
親機ＣＰＵ２０のピンＰ3はホトカプラーＰＣ1の受光側に設けられた受光用トランジスタＱ3のコレクタと接続され、エミッタは基準電位点と接続されている。
またコレクタは抵抗Ｒ3の一端と接続され、抵抗Ｒ3の他端は電源＋Ｖｃと接続されている。
外線／ドアホン子機切換継電器８の一端は電源＋Ｖｃと接続され、他端はトランジスタＱ4のコレクタ、エミッタを介して基準電位点と接続されている。トランジスタＱ4のベースは一端が親機ＣＰＵ２０のピンＰ4と接続された抵抗Ｒ4の他端と接続され、抵抗Ｒ4の他端は抵抗Ｒ5を介して基準電位点と接続されている。
外線／ドアホン子機切換継電器９の一端は電源＋Ｖｃと接続され、他端はトランジスタＱ5のコレクタ、エミッタを介して基準電位点と接続されている。トランジスタＱ5のベースは一端が親機ＣＰＵ２０のピンＰ5と接続された抵抗Ｒ6の他端と接続され、抵抗Ｒ6の他端は抵抗Ｒ7を介して基準電位点と接続されている。
呼出／通話切換継電器１０の一端は電源＋Ｖｃと接続され、他端はトランジスタＱ6のコレクタ、エミッタを介して基準電位点と接続されている。トランジスタＱ6のベースは一端が親機ＣＰＵ２０のピンＰ6と接続された抵抗Ｒ8の他端と接続され、抵抗Ｒ8の他端は抵抗Ｒ9を介して基準電位点と接続されている。
親機ＣＰＵ２０のピンＰ7は呼出音発生回路６の入力側と接続され、出力側はアンプ７及びコンデンサＣ1を介して外線／ドアホン子機切換継電器９の切換接点９ａの常開側と接続されている。
端子Ｔ4、通話用電源回路２の抵抗Ｒ2の他端、外線／ドアホン子機切換継電器８の切換接点８ｂの常開側、外線／ドアホン子機切換継電器９の切換接点９ｂの常開側、呼出音発生回路６、アンプ７及び親機ＣＰＵ２０の基準電位点側は基準電位点と接続されている。
尚、電源１１は高圧の電源＋Ｖｃと低圧の電源＋ＶDを各回路へ供給する。
電話機接続アダプタＢＱ1はダイオードブリッジＤＢ、呼出用スピーカＳＰ1、送受器３０が実装された電話機ＴＥＬ1が接続されたモジュラージャックＭＪ1及びホトカプラーＰＣ2を有し、ダイオードブリッジＤＢの入力端子側は端子Ｔ7、Ｔ8と接続され、整流側の一方（＋側）は抵抗ＲA1、ツェナダイオードＺD1のカソード、アノードをを介して他方（−側）と接続されている。
抵抗ＲA1とツェナダイオードＺD1のカソードの接続点には一端が（−）側に接続されたコンデンサＣ2の他端及びトランジスタＱ7のベースが接続されている。トランジスタＱ7のエミッタは抵抗ＲＡ2を介してダイオードブリッジＤＢの整流側の他方（−側）と接続され、コレクタはホトカプラーＰＣ2に設けられた発光ダイオードＤ2のカソード、アノードを介してダイオードブリッジＤＢの整流側の一方（＋側）と接続されている。
ダイオードブリッジＤＢの整流側の一方（＋側）はホトカプラーＰＣ2の受光側に設けられたノーマルクローズスイッチイング素子Ｑ8（ＦＥＴで構成されゲートが受光してないときはオン、受光したときはオフとなるスイッチイング素子）のソース、ドレインを介してコンデンサＣ3の一端と接続され、コンデンサＣ3の他端は呼出用スピーカＳＰ1を介して他方（−側）と接続されている。
また、電話機接続アダプタＢＱ1の端子Ｔ7、Ｔ8にはモジュラージャックＭＪ1が接続されている。
このような電話・インターホン装置において、待受け時には外線Ｌ1とＬ2に接続された局用交換機から４８Ｖの電源が供給されている。
この電源の本線側は、親機ＭＱ1の端子Ｔ1、外線／ドアホン子機切換継電器８に設けられた切換接点８ａの常閉側、ホトカプラーＰＣ1の発光側、外線／ドアホン子機切換継電器９に設けられた切換接点９ａの常閉側及び端子Ｔ5に至る経路でラインＬ5と、基準電位点側は、親機ＭＱ1の端子Ｔ2、外線／ドアホン子機切換継電器８に設けられた切換接点８ｂの常閉側、外線／ドアホン子機切換継電器９に設けられた切換接点９ｂの常閉側及び端子Ｔ6に至る経路でラインＬ6と、それぞれ接続されている。
電話機ＴＥＬ1が送受器３０を取り上げ、外線通話を行なう時には、電話機ＴＥＬ1の直流特性と局用交換機の内部抵抗のバランスにより、端子Ｔ7、Ｔ8間には、約５Ｖ〜１０Ｖの電圧が表れる。この時、極性一致となり抵抗ＲＡ1を介してトランジスタＱ7へベースバイアスが供給され、ホトカプラーＰＣ2に設けられた発光ダイオードＤ2が発光し、ホトカプラーＰＣ2の受光側に設けられたノーマルクローズスイッチイング素子Ｑ8はオフとなる。
ホトカプラーＰＣ2の駆動はトランジスタＱ7による定電流なので高インピーダンスとなり、電話機ＴＥＬ1のインピーダンスと比較して非常に高いので、電話機ＴＥＬ1による外線通話に殆ど影響を与えない。
また、電話機ＴＥＬ1の送受器３０をオフフックした時に、ホトカプラーＰＣ1の発光側が発光する。ホトカプラーＰＣ1の発光側が発光すると、ホトカプラーＰＣ1の受光側に設けられた受光用トランジスタＱ3がオンとなり、ピンＰ3を介して電話機ＴＥＬ1でオフフックしたことを親機ＣＰＵ２０へ知らせる。
このためドアホン子機ＳＱ１の呼出釦１を押下しても呼出検出回路５はオン制御されない。
電話機ＴＥＬ1の送受器３０がオンフックされているときドアホン子機ＳＱ１の呼出釦１を押下すると、２線Ｌ3、Ｌ4、親機ＭＱ１の端子Ｔ3、Ｔ4を介して（端子Ｔ3を本線側、端子Ｔ4を基準電位点側とし、以下本線側についてのみ説明する）呼出／通話切換継電器１０の切換接点１０ａの常閉側へ呼出信号が送出される。
この呼出信号により呼出検出回路５が動作し、ドアホン子機ＳＱ１からの呼出が検出されたことをピンＰ2を介して親機ＣＰＵ２０へ知らせる。
親機ＣＰＵ２０は呼出が検出されると、予め定められた時間、ピンＰ5を介してトランジスタＱ5をオン制御し、外線／ドアホン子機切換継電器９に設けられた切換接点９ａ、９ｂの常開側を閉成する。
同時にピンＰ7を介して呼出音発生回路６をオン制御する。呼出音発生回路６がオン制御されると、呼出音発生回路６で発生された呼出音（例えばピン、ポンを予め定められた時間の間）をアンプ７、コンデンサＣ1、閉成された外線／ドアホン子機切換継電器９の切換接点９ａの常開側から端子Ｔ5に至る経路でラインＬ5へ送出される。
この呼出音は端子Ｔ5（本線側）Ｔ6（基準電位点側）からラインＬ5、Ｌ6を経由して電話機接続アダプタＢＱ1の端子Ｔ7、Ｔ8へ送出される。
呼出音には直流成分が含まれていないので、電話機接続アダプタＢＱ1に設けられたダイオードブリッジＤＢの整流側の一方及び他方の間の電圧は０Ｖとなり、ホトカプラーＰＣ2の発光ダイオードＤ2がオフとなり、ホトカプラーＰＣ2の受光側のノーマルクローズスイッチイング素子Ｑ8がオンとなる。
ノーマルクローズスイッチイング素子Ｑ8がオンとなると、呼出音はコンデンサＣ3を介して呼出用スピーカＳＰ1から送出される。
予め定められた時間の間、呼出用スピーカＳＰ1が鳴動したあとで、親機ＣＰＵ２０がピンＰ4を介してトランジスタＱ4をオン、ピンＰ5を介してトランジスタＱ5をオフ制御し、外線／ドアホン子機切換継電器８に設けられた切換接点８ａ、８ｂの常開側、外線／ドアホン子機切換継電器９の切換接点９ａ、９ｂの常閉側を閉成する。
外線／ドアホン子機切換継電器８、９に設けられた切換接点８ａの常開側、切換接点９ａの常閉側が閉成されると、切換接点８ａ、９ａを介して直流電源ＶCの電源が電話機接続アダプタＢＱ1に供給される。
この給電が電話機接続アダプタＢＱ1のダイオードブリッジＤＢに印加されると、ダイオードブリッジＤＢの整流側の一方（＋）、他方（−）間に直流電圧が現われ、これにより抵抗ＲＡ1を介してトランジスタＱ7がベースバイアスされる。
このためホトカプラーＰＣ2に設けられた発光ダイオードＤ2が発光し、ホトカプラーＰＣ2の受光側に設けられたノーマルクローズスイッチイング素子Ｑ8はオフとなり、呼出用スピーカＳＰ1への回路は遮断される。
ここで、電話機ＴＥＬ1の送受器３０をオフフックすると、親機ＭＱ１に設けられたホトカプラーＰＣ1の発光側に電流が流れホトカプラーＰＣ1の発光側が発光する。ホトカプラーＰＣ1の発光側が発光すると、ホトカプラーＰＣ1の受光側に設けられた受光用トランジスタＱ3がオンとなり、ピンＰ3を介して電話機ＴＥＬ1でオフフックしたことを親機ＣＰＵ２０へ知らせる。
親機ＣＰＵ２０は電話機ＴＥＬ1でオフフックされたことを知ると、ピンＰ6を介して、トランジスタＱ6をオン制御する。トランジスタＱ6がオン制御されると呼出／通話切換継電器１０が動作し、切換接点１０ａの常開側を閉成する。また同時にピンＰ1を制御し、アナログスイッチ３をオン制御する。アナログスイッチ３がオン制御されると、ラインＬ3、親機ＭＱ1の端子Ｔ3、通話回路４及びオン制御されたアナログスイッチ３による経路で、ドアホン子機ＳＱ１と電話機ＴＥＬ1との間の通話路が形成される。
電話機ＴＥＬ1でオンフックするとホトカプラーＰＣ1の発光側がオフとなり、ホトカプラーＰＣ1の受光側に設けられた受光用トランジスタＱ3もオフとなる。受光用トランジスタＱ3がオフとなると、ピンＰ3を介して電話機ＴＥＬ1でオンフックしたことを親機ＣＰＵ２０へ知らせる。これにより、総ての回路は復旧し待受け状態となる。
呼出用スピーカＳＰ1が鳴動しても、電話機ＴＥＬ1がオフフックされない場合は、予め定められた時間、例えば４秒〜１０秒程度経過すると自動的に総ての回路は復旧し待受け状態となる。
【発明の効果】
以上の説明から明らかなように、本発明の電話・インターホン装置によれば、ドアホン子機と拡声スピーカとの間を無極化された２線で接続し、ドアホン子機からの呼出と通話を２線だけでおこなえる。
【図面の簡単な説明】
【図１】本発明による電話・インターホン装置の一実施例を示すブロック図。
【図２】従来の電話・インターホン装置のブロック図。
【符号の説明】
２‥‥‥通話用電源回路
３‥‥‥アナログスイッチ（通話路スイッチ）
４‥‥‥通話回路
５‥‥‥呼出検出回路
６‥‥‥呼出音発生回路
９‥‥‥外線／ドアホン子機切換継電器（切替手段）
Ｑ8‥‥‥ノーマルクローズスイッチイング素子
ＳＰ1‥‥‥呼出用スピーカ（拡声スピーカ）
Ｌ1、Ｌ2‥‥‥外線
Ｌ5、Ｌ6‥‥‥ライン、２線
ＴＥＬ1‥‥‥電話機
ＳＱ1‥‥‥ドアホン子機
【図１】
0003604527.tif 000002
【図２】
0003604527.tif 000003